(57)【特許請求の範囲】
【請求項１】
映像の記録または再生を行う記録再生手段と、
前記記録再生手段による映像の記録／再生に対応した記録モードまたは再生モードに装置を設定するスイッチング手段と、
前記映像を表示する表示手段と、
前記スイッチング手段によって記録モードに切り替えられたときから所定の時間に亘って、前記表示手段に記録に関する設定情報のみを出力する情報出力手段とを
備えたことを特徴とする映像記録再生装置。
【請求項２】
レンズを介して被写体映像を入力するカメラ手段と、
前記カメラ手段から入力された被写体映像の記録または再生を行う記録再生手段と、
前記記録再生手段による被写体映像の記録／再生に対応した記録モードまたは再生モードに装置を設定するスイッチング手段と、
前記被写体映像を表示する表示手段と、
前記スイッチング手段によって記録モードに切り替えられたときから所定の時間に亘って、前記表示手段に記録に関する設定情報のみを出力する情報出力手段とを
備えたことを特徴とするカメラ装置。
【請求項３】
映像の記録または再生をビデオテープで行うＶＴＲ手段と、
前記ＶＴＲ手段による映像の記録／再生に対応した記録モードまたは再生モードに装置を設定するスイッチング手段と、
前記映像を表示する表示手段と、
前記スイッチング手段によって記録モードに切り替えられたときから所定の時間に亘って、前記表示手段に記録に関する設定情報のみを出力する情報出力手段とを
備えたことを特徴とするＶＴＲ装置。
【発明の詳細な説明】
【０００１】
【発明の属する技術分野】
本発明は、映像の記録または再生を行う映像記録再生装置、レンズを介して入力された被写体映像の記録または再生を行うカメラ装置、及びカメラ一体型ＶＴＲ等のＶＴＲ装置に関するものである。
【０００２】
【従来の技術】
従来、この種のカメラ一体型ＶＴＲ等の映像記録再生装置では、記録モードまたは再生モードにモード設定が行われた後、そのモードに応じて装置の初期化を行う必要がある。この初期化の動作中においては、ユーザに見苦しい映像を見せない等の理由により、表示手段には映像をマスクするためのブランク画面が出力されている。
【０００３】
【発明が解決しようとする課題】
しかしながら、上記従来例では、装置の初期化動作中において出力画面がブランク画面となるため、ユーザにとって興味を引くものではなく、装置の初期化動作時間が単なる待ち時間に過ぎない。また、装置の設定状態の情報がないままユーザが装置の操作を行うと、予想しない誤動作を招く恐れもあった。
【０００４】
本発明は上記従来の問題点に鑑み、装置の初期化動作中にユーザに有益な情報を与えることができる映像記録再生装置、カメラ装置及びＶＴＲ装置を提供することを目的とする。
【０００５】
【課題を解決するための手段】
上記目的を達成するために、本発明の映像記録再生装置は、映像の記録または再生を行う記録再生手段と、前記記録再生手段による映像の記録／再生に対応した記録モードまたは再生モードに装置を設定するスイッチング手段と、前記映像を表示する表示手段と、前記スイッチング手段によって記録モードに切り替えられたときから所定の時間に亘って、前記表示手段に記録に関する設定情報のみを出力する情報出力手段とを備えたことを特徴とする。
本発明のカメラ装置は、レンズを介して被写体映像を入力するカメラ手段と、前記カメラ手段から入力された被写体映像の記録または再生を行う記録再生手段と、前記記録再生手段による被写体映像の記録／再生に対応した記録モードまたは再生モードに装置を設定するスイッチング手段と、前記被写体映像を表示する表示手段と、前記スイッチング手段によって記録モードに切り替えられたときから所定の時間に亘って、前記表示手段に記録に関する設定情報のみを出力する情報出力手段とを備えたことを特徴とする。
本発明のＶＴＲ装置は、映像の記録または再生をビデオテープで行うＶＴＲ手段と、前記ＶＴＲ手段による映像の記録／再生に対応した記録モードまたは再生モードに装置を設定するスイッチング手段と、前記映像を表示する表示手段と、前記スイッチング手段によって記録モードに切り替えられたときから所定の時間に亘って、前記表示手段に記録に関する設定情報のみを出力する情報出力手段とを備えたことを特徴とする。
【００１７】
【発明の実施の形態】
以下、図面を参照して本発明の実施の形態を説明する。
【００１８】
図１は、本発明の第１実施形態に係るカメラ一体型ＶＴＲ装置の概略構成を示すブロック図である。
【００１９】
同図において、カメラ部１００中の１０１は変倍を行うズームレンズであり、１０２は明るさを調節するアイリスであり、１０３は焦点の調節を行うフォーカスレンズである。これらの光軸上には光を電気信号に変換するＣＣＤ等の撮像素子１０４が設置されている。
【００２０】
また、１０５，１０６，１０７は、それぞれズームレンズ１０１、アイリス１０２、及びフォーカスレンズ１０３を駆動するためのアクチュエータであり、１０８，１０９，１１０はそれぞれアクチュエータ１０５，１０６，１０７を駆動制御するためのドライバであり、１１１，１１２はそれぞれズームレンズ１０１及びフォーカスレンズ１０３の位置を検出するための位置エンコーダである。
【００２１】
さらに、１１３は映像信号を出力する信号処理回路であり、１１４はカメラ部１００を制御するカメラマイコンである。１１５はカメラモードとＶＴＲモードとを切り換えるモード切換えスイッチであり、１１６は電源投入の電源スイッチであり、１１７はシステムを制御するモードマイコンであり、１１８はモードマイコン１１７からのデータにより文字信号を発生させるキャラクタジェネレータである。１１９は映像信号と文字信号とを合成する加算器であり、１２０は文字映像信号を表示するＥＶＦ等の表示装置である。１３０はビデオテープを用いて被写体映像の記録／再生を行うＶＴＲ部である。
【００２２】
次に動作を説明する。
【００２３】
電源スイッチ１１６により電源が投入されると、モードマイコン１１７は、モード切換えスイッチ１１５の状態を調べ、カメラモードであると判断したときにはカメラマイコン１１４へレンズリセット要求を出す。レンズリセット要求を受けたカメラマイコン１１４は、ズームレンズ１０１及びフォーカスレンズ１０３の位置を位置エンコーダ１１１，１１２により検出し、アクチュエータ１０５，１０７をドライバ１０８，１１０によって駆動制御することにより、ズームレンズ１０１及びフォーカスレンズ１０３を移動させ、レンズリセットを行う。
【００２４】
一方、モードマイコン１１７はキャラクタジェネレータ１１８にデータを出力し、キャラクタジェネレータ１１８はモードマイコン１１７からのデータより文字信号を発生させる。レンズリセット中にブランク映像信号を出力している信号処理回路１１３からの映像像信号とキャラクタジェネレータ１１８からの文字信号とを加算器１１９は合成し、ＶＴＲ部１３０及びＥＶＦ１２０へ出力する。ＥＶＦ１２０は、入力された文字映像信号をユーザが視覚的に感知できるように画面に表示する。
【００２５】
図２は、図１に示す装置において、本発明を実施するための、モードマイコン１１７のアルゴリズムを示すフローチャートであり、このアルゴリズムはプログラムの形で例えばモードマイコン１１７内のメモリに格納されているものとする。
【００２６】
同図において、ステップＳ２１で電源が投入されると、ステップＳ２２で現在のモードがカメラモード／ＶＴＲモードのいずれであるかを判断し、カメラモードである場合は、ステップＳ２３でカメラマイコン１１４へレンズリセットの要求を出し、ＶＴＲモードである場合は待機する。
【００２７】
ステップＳ２４でカメラマイコン１１４からレンズリセットの終了が通知されなければ、ステップＳ２６でデータを読み込み、ステップＳ２７でこのデータをキャラクタジェネレータ１１８に出力することによってＥＶＦ１２０に情報が表示される。ステップＳ２４でレンズリセット終了の通知があれば、データの出力を止め表示が消される（ステップＳ２５）。
【００２８】
図３は、図１に示す装置において、本発明を実施するためのカメラマイコン１１４のアルゴリズムを示すフローチャートであり、このアルゴリズムはプログラムの形で例えばカメラマイコン１１４内のメモリに格納されているものとする。
【００２９】
同図において、まずステップＳ３１でモードマイコン１１７からレンズリセットの要求があるまで待機し、要求があればステップＳ３２で現在のズームレンズ１０１の位置カウンタ値Ｃｓを記憶する。
【００３０】
続くステップＳ３３では、ズームレンズ１０１をＣＣＤ１０４方向へ物理的に移動可能な限界地点（リセット位置とする）へ移動させ、ステップＳ３４で現位置カウンタ値よりＣｓを減算したカウンタ変化量ＣRSを求めてそれを記憶する。さらに、ステップＳ３５でズームレンズ１０１の位置カウンタに初期値ＣRを代入し、ステップＳ３６でズームレンズ１０１をＣRS量だけ逆方向に戻す。すなわち、ズームレンズ１０１は（ＣR＋ＣRS）のカウンタ位置となる。
【００３１】
このようにしてズームレンズ１０１のレンズリセットは終了するが、フォーカスレンズ１０３でもズームレンズ１０１と全く同様の手順でレンズリセット動作が並行して行われる。ステップＳ３７において、ズームレンズ１０１のリセット動作とフォーカスレンズ１０３のリセット動作が両方とも完了して初めモードマイコン１１７にレンズリセットの終了を通知する。
【００３２】
図４は、本発明の第２実施形態に係るカメラ一体型ＶＴＲ装置の概略構成を示すブロック図である。
【００３３】
本実施形態は、上記第１実施形態の装置において、カメラ部１００の構成をカメラ部４００に変更したものであり、その他の構成は図１と同様である。
【００３４】
同図において、４０１は、ズームレンズ１０１やフォーカスレンズ１０３などのレンズ群である。増幅回路４０２でＣＣＤ１０４の出力信号を増幅し、明るさ検出回路４０３で明るさ、色合い検出回路４０４で色合いがそれぞれ検出される。カメラマイコン１１４は、前記検出結果により映像信号の明るさが適切になるようにアイリス１０２を制御し、明るさ増幅率信号４０７を増幅回路４０２へ出力する。
【００３５】
また、色合いが適切になるように、赤信号増幅率信号４０５及び青信号増幅率信号４０６を信号処理回路１１３へ出力し、そして最終的に信号処理回路１１３より映像信号が加算器１１９へ出力される。
【００３６】
図５は、図４に示す装置において、本発明を実施するためのモードマイコン１１７のアルゴリズムを示すフローチャートであり、このアルゴリズムはプログラムの形で例えばモードマイコン１１７内のメモリに格納されているものとする。
【００３７】
また、本実施形態の装置において、図２に示したレンズリセットのアルゴリズムと同様にカメラのイニシャライズを行う。すなわち、ステップＳ４１で電源が投入されると、ステップＳ４２で現在のモードはカメラモード／ＶＴＲモードのいずれのモードにあるのかを判断し、カメラモードである場合は、ステップＳ４３でカメラマイコン１１４へイニシャライズの要求を出し、ＶＴＲモードである場合は待機する。
【００３８】
ステップＳ４４でカメラマイコン１１４からイニシャライズの終了が通知されなければステップＳ４６でデータを読み込み、ステップＳ４７でそのデータをキャラクタジェネレータ１１８へ出力することによってＥＶＦ１２０に情報が表示される。ステップＳ４４でイニシャライズ終了の通知があれば、データの出力を止め表示は消される。
【００３９】
図６は、図４に示す装置において、本発明を実施するためのカメラマイコン１１４のアルゴリズムを示すフローチャートであり、このアルゴリズムはプログラムの形で例えばカメラマイコン１１４内のメモリに格納されているものとする。
【００４０】
同図において、まずステップＳ６１でモードマイコン１１７からカメラのイニシャライズの要求があるまで待機し、要求があればステップＳ６２で増幅回路４０２からの出力信号の明るさを検出し、ステップＳ６３で明るさが適切か否かを判定する。
【００４１】
明るさが適切でない場合は、さらにステップＳ６４へ進んで、明るいか否かを判定する。そして、明るいときにはステップＳ６５でアイリス１０２を絞り、暗いときにはステップＳ６６でアイリス１０２が全開か否かを調べ、全開でなければアイリス１０２を開き、全開であれば明るさを増幅、つまりＣＣＤ１０４からの出力信号を増幅回路４０２で増幅する。
【００４２】
一方、前記ステップＳ６３で明るさが適切であれば、ステップＳ６９で増幅回路４０２からの出力信号の色合いを検出し、ステップＳ７０で色合いが適切か否かを判定する。
【００４３】
色合いが適切でない場合には、さらにステップＳ７１へ進んで赤色が強いか否かを判定し、赤色が強いときにはステップＳ７２で赤信号の増幅率信号４０５を調整し、青色が強いときにはステップＳ７３で青信号の増幅率信号４０６を調整する。前記ステップＳ７０で色合いが適切であれば、イニシャライズは終了し、ステップＳ７４でモードマイコン１１７へイニシャライズの終了を通知する。
【００４４】
次に、上記第１及び第２実施形態における表示画面の出力例を説明する。
【００４５】
図７は、上記第１及び第２実施形態における表示画面の一出力例を示す図である。
【００４６】
同図に示す例は、現在のカメラモードにおける設定状態の出力例であり、モードマイコン１１７からキャラクタジェネレータ１１８へデータを出力し、発生した文字信号とカメラ部から出力されるブランク映像信号とを加算器１１９で合成し、ＥＶＦ１２０で表示している。
【００４７】
図８は、上記第１及び第２実施形態における表示画面の他の出力例を示す図である。
【００４８】
同図に示す例は、現在の日付及び時刻データの出力例であり、モードマイコン１１７からキャラクタジェネレータ１１８へ出力し、発生した文字信号とカメラ部から出力されるブランク映像信号とを加算器１１９で合成し、ＥＶＦ１２０で表示している。
【００４９】
このように、ＥＶＦ１２０に現在の装置の設定状態あるいは現在の日付時刻を文字信号によって表示させることにより、ユーザにとって有益な情報を提供することができる。
【００５０】
なお、本発明は、複数の機器から構成されるシステムに適用しても、１つの機器からなる装置に適用してもよい。また、本発明は、システムあるいは装置にプログラムを供給することによって達成される場合にも適用できることはいうまでもない。この場合、本発明を達成するためのソフトウェアによって表されるプログラムを格納した記憶媒体を該システムあるいは装置に読み出すことによって、そのシステムあるいは装置が、本発明の効果を享受することが可能となる。
【００５１】
【発明の効果】
本発明によれば、記録モードに切り替えられたときから所定の時間を有効利用して、ユーザに有益な情報を容易に提供することが可能となる。
【図面の簡単な説明】
【図１】本発明の第１実施形態に係るカメラ一体型ＶＴＲ装置の概略構成を示すブロック図である。
【図２】図１中のモードマイコン１１７のアルゴリズムを示すフローチャートである。
【図３】図１中のカメラマイコン１１４のアルゴリズムを示すフローチャートである。
【図４】本発明の第２実施形態に係るカメラ一体型ＶＴＲ装置の概略構成を示すブロック図である。
【図５】図４中のモードマイコン１１７のアルゴリズムを示すフローチャートである。
【図６】図４中のカメラマイコン１１４のアルゴリズムを示すフローチャートである。
【図７】第１及び第２実施形態における表示画面の一出力例を示す図である。
【図８】第１及び第２実施形態における表示画面の他の出力例を示す図である。
【符号の説明】
１００  カメラ部
１０１  ズームレンズ
１０２  アイリス
１０３  フォーカスレンズ
１０４  撮像素子
１０５，１０６，１０７  アクチュエータ
１０８，１０９，１１０  ドライバ
１１１，１１２  位置エンコーダ
１１３  信号処理回路
１１４  カメラマイコン
１１５  モード切換えスイッチ
１１６  電源スイッチ
１１７  モードマイコン
１１８  キャラクタジェネレータ
１１９  加算器
１２０  表示装置
４００  カメラ部
４０１  レンズ群
４０２  増幅回路
４０３  明るさ検出回路
４０４  色合い検出回路
４０５  赤信号増幅率信号
４０６  青信号増幅率信号
４０７  明るさ増幅率信号
【図１】
0003761956.tif 000002
【図２】
0003761956.tif 000003
【図３】
0003761956.tif 000004
【図４】
0003761956.tif 000005
【図５】
0003761956.tif 000006
【図６】
0003761956.tif 000007
【図７】
0003761956.tif 000008
【図８】
0003761956.tif 000009